(57)【要約】【目的】  光コネクタのプラグ挿入口をシャッターで開閉する。シャッターを開放操作が不要な内開き式とし、且つそのシャッターの収納スペースを可及的に小さくする。【構成】  ケース１０に形成されたプラグ挿入穴１１の入口近傍に、プラグ挿入穴１１へのプラグ部の挿入に伴って内側へ開く内開き式のシャッター２０を設ける。シャッター２０を閉位置に弾性保持するシャッター付勢バネ３０として、コイル部３１から１対のアーム部３２，３３が２方向へ突出した捻じりコイルバネを使用する。そのシャッター付勢バネ３０を、シャッター２０の裏面とケース１０の内壁面との間に、コイル部３１が穴奥側を向く方向に配置する。また、シャッター２０が開いてケース１０の内壁面に沿ったときに、シャッター２０とケース１０の内壁面との間に両アーム部３２，３３が狭まると共に、コイル部３１がシャッター２０とケース１０の内壁面との間の外側に位置するように配置する。【選択図】  図３
2005258223.tif 000002
【特許請求の範囲】
【請求項１】
光ファイバケーブルのプラグ部が挿入される挿入穴を有するケースと、該ケースの挿入穴に挿入されたプラグ部と光学的に結合されるように挿入穴の奥に配置された光素子と、前記挿入穴の開口部近傍にヒンジ支持され、前記挿入穴へのプラグ部の挿入に伴って内側へ開く内開き式のシャッターと、該シャッターを閉状態に弾性的に支持するべくシャッターの裏面とケースの内壁面との間に配置されており、前記シャッターが開いて前記ケースの内壁面に沿ったときにシャッターとケース内壁面との間に一部又は全部が略同一平面内に挟み込まれるシャッター付勢バネとを具備することを特徴とするシャッター付き光コネクタ。
【請求項２】
前記シャッター付勢バネは、コイル部から２方向へ突出した１対のアーム部を有しており、前記シャッターの裏面とケースの内壁面との間に、前記コイル部を穴奥側へ向けて配置されると共に、前記シャッターが開いて前記ケースの内壁面に沿ったときにシャッターとケース内壁面との間に両アーム部が狭まり、前記コイル部が前記シャッターとケース内壁面との間の外側に位置するように配置された捻じりコイルバネである請求項１に記載のシャッター付き光コネクタ。
【請求項３】
前記シャッター付勢バネは、金属製の平板から切り起こして形成されており、前記シャッターが開いて前記ケースの内壁面に沿ったときにシャッターとケース内壁面との間で１枚の板状に弾性変形する板バネである請求項１に記載のシャッター付き光コネクタ。
【請求項４】
前記ケースは、前記プラグ部の種類を認識するためのキー溝を前記挿入穴の開口部近傍に有し、前記キー溝を形成するリブ部が前記シャッターを閉状態に保持するストッパーを兼ねる請求項１に記載のシャッター付き光コネクタ。
【請求項５】
前記ケースは、前記シャッターが開く側の壁面が開口したボディと、その開口部を塞ぐべく前記ボディに装着されるカバーとを有する請求項１に記載のシャッター付き光コネクタ。
【発明の詳細な説明】
【技術分野】
【０００１】
本発明は、光データ伝送に使用される光コネクタに関し、更に詳しくは、光ファイバーケーブルのプラグ部が挿入される挿入口をシャッターで開閉するシャッター付きの光コネクタに関する。
【背景技術】
【０００２】
光データ伝送に使用される光コネクタは、送信側、受信側ともに、光ファイバケーブルのプラグ部が挿入される挿入穴を有するケースと、該ケースの挿入穴に挿入されたプラグ部と光学的に結合されるように挿入穴の奥に配置された光素子とを組み合わせた基本構造を有している。
【０００３】
このような光コネクタでは、光ファイバケーブルのプラグ部が挿入されないときに、挿入穴からほこりなどの異物が侵入するを防ぐために、挿入穴の開口部、即ち挿入口を開閉式のシャッターで閉止することが行なわれる。
【０００４】
ここにおけるシャッターは、１つの側縁部を中心に回動する片開き式のヒンジ構造が一般的であり、より詳しくは、ケースの外側に開く外開き式と、ケースの内側へ開く内開き式の２種類がある。外開き式の場合、プラグ部を差し込む際にシャッターを開ける操作が必要となるのに対し、内開き式の場合は、プラグ部の差し込み操作に伴ってシャッターを自動開放させることが可能となり、操作性を含めた総合評価は、後者の内開き式の方が高いとされている。
【０００５】
内開き式のシャッターを備えた光コネクタの場合、シャッターを閉状態に弾性保持するためにシャッター付勢バネが使用される。そのシャッター付勢バネとしては、コイル部から１対のアーム部が２方向へ突出した、捻じりコイルバネの一種が多用されている。なぜなら、そのバネのコイル部にシャッターのヒンジ軸を通したり、コイル部をヒンジ軸として利用できるからである。この捻じりコイルバネを備えた内開きシャッター付き光コネクタは、例えば特許文献１に記載されている。
【０００６】
【特許文献１】米国特許第６００４０４３号明細書
【０００７】
特許文献１に記載された内開きシャッター付き光コネクタでは、下縁部を中心に回動する片開き式の内開きシャッターが使用されている。捻じりコイルバネとしては、両側１対のコイル部、両側１対のコイル部の各内側から突出し各先端部が連結されたＵ状の内側アーム部、及び両側１対のコイル部の各外側から突出した１対の外側アーム部をもつものが使用されている。
【０００８】
両側のコイル部は、シャッターの裏側に一体的に設けられたヒンジ軸に外嵌しており、一方、内側アーム部と両側の外側アーム部は、外力を受けない状態で開き角が９０°以上に広がり、シャッターの裏面とケースの下側の内面との間に配置された状態で開き角がほぼ９０°に狭まることにより、シャッターを閉位置に弾性保持する。
【０００９】
このようなシャッター付き光コネクタでは、ケースのプラグ挿入穴に光ファイバケーブルのプラグ部を差し込む操作に伴い、シャッターが付勢バネによる付勢力に抗してケースの内側へ倒れ、最終的にはシャッターが下側のケース内面に平行な状態まで倒れて挿入穴を完全に開く。このとき、内側アーム部と両側の外側アーム部は、ほぼ平行な状態まで、開き角が狭まる方向へ倒れ、両側のコイル部と共に、シャッターと下側のケース内面との間に挟まる。即ち、シャッターが開位置へ移動したとき、シャッターと下側のケース内面との間に、両側のコイル部がヒンジ軸と共に挟まれた状態になる。
【００１０】
この結果、シャッターを開位置に収納するためのスペース厚Ｔとして、シャッター厚にコイル部の外径を加算した大きさが、最小限必要になる（図１０参照）。ここで、コイル部の外径は、シャッターのヒンジ軸の太さに依存し、強度上そのヒンジ軸を極端に細くできないため、ある程度の大きさが必要になる。このため、シャッターの収納スペースが増大し、ひいてはコネクタ全体が大型化する。
【発明の開示】
【発明が解決しようとする課題】
【００１１】
本発明はかかる事情に鑑みて創案されたものであり、シャッターを内側へ開く構造でありながら、そのシャッターの収納スペースを可及的に小さくできるシャッター付き光コネクタを提供することを目的とする。
【課題を解決するための手段】
【００１２】
上記目的を達成するために、本発明に係るシャッター付き光コネクタは、光ファイバケーブルのプラグ部が挿入される挿入穴を有するケースと、該ケースの挿入穴に挿入されたプラグ部と光学的に結合されるように挿入穴の奥に配置された光素子と、前記挿入穴の開口部近傍にヒンジ支持され、前記挿入穴へのプラグ部の挿入に伴って内側へ開く内開き式のシャッターと、該シャッターを閉状態に弾性的に支持するべくシャッターの裏面とケースの内壁面との間に配置されており、前記シャッターが開いて前記ケースの内壁面に沿ったときにシャッターとケース内壁面との間に一部又は全部が略同一平面内に挟み込まれるシャッター付勢バネとを備えている。
【００１３】
前記シャッター付勢バネとしては、例えば次のような捻じりコイルバネ又は板バネを用いることができる。
【００１４】
捻じりコイルバネは、コイル部から２方向へ突出した１対のアーム部を有しており、前記シャッターの裏面とケースの内壁面との間に、前記コイル部を穴奥側へ向けて配置されると共に、前記シャッターが開いて前記ケースの内壁面に沿ったときにシャッターとケース内壁面との間に両アーム部が狭まり、前記コイル部が前記シャッターとケース内壁面との間の外側に位置するように配置される。
【００１５】
また板バネは、金属製の平板から切り起こして形成されており、前記シャッターが開いて前記ケースの内壁面に沿ったときにシャッターとケース内壁面との間で１枚の板状に弾性変形する構造である。
【００１６】
前記捻じりコイルバネを用いる場合、そのシャッター付勢バネが、従来とは逆に、シャッターの裏面とケースの内壁面との間にコイル部を穴奥側に向けて配置され、しかも、シャッターが開いてケースの内壁面に沿ったときに、シャッターとケース内壁面との間の外側に両アーム部が挟まり、コイル部がこの間の外側に位置するように配置される。このため、シャッターを開位置に収納するための最低必要スペース厚として、シャッター厚にコイル部の外径を加算する必要がなくなり、アーム部の線径を加算するだけで済み、その収納スペース厚を低減することが可能となる。
【００１７】
前記板バネを用いる場合も、シャッターが開いてケースの内壁面に沿ったときに、シャッターとケース内壁面との間で、その板バネが１枚の板状に弾性変形する。このため、シャッターを開位置に収納するための最低必要スペース厚として、シャッター厚に板バネの板厚を加算するだけで済み、その収納スペース厚を低減することが可能となる。
【００１８】
前記ケースは、前記プラグ部の種類を認識するためのキー溝を前記挿入穴の開口部近傍に有し、前記キー溝を形成するリブ部が前記シャッターを閉状態に保持するストッパーを兼ねる構造のものが好ましい。この構造により独立したストッパーが不要になり、構造が簡略化される。また、プラグ部の種類を認識するためのキー溝もシャッターにより閉止される。
【００１９】
前記ケースは又、前記シャッターが開く側の壁面が開口したボディと、その開口部を塞ぐべく前記ボディに装着されるカバーとを有する構造のものが好ましい。この構造によると、シャッターをボディの開口部内に収納でき、カバーを薄い金属カバーとすることにより、シャッターが開く側の壁厚を薄くでき、コネクタの全厚をより低減できる。また、金型によるボディ成形時にその開口部を利用することにより、ボディの開口部とは反対側の壁面に、プラグ部をロックするための凸部を簡単に形成することが可能となる。
【発明の効果】
【００２０】
本発明に係るシャッター付き光コネクタは、内開き式のシャッターを閉位置に弾性保持するシャッター付勢バネを、シャッターの裏面とケースの内壁面との間に、シャッターが開いてケースの内壁面に沿ったときにシャッターとケース内壁面との間に一部又は全部が略同一平面内に挟み込まれる構造とすることにより、内開き式のシャッターを使用するにもかかわらず、シャッターを開位置に収納するための最小必要スペース厚を殆どシャッター厚まで薄くでき、これによりコネクタ全体を効果的に小型化できる。
【発明を実施するための最良の形態】
【００２１】
以下に本発明の実施形態を図面に基づいて説明する。図１は本発明の一実施形態を示すシャッター付き光コネクタの斜視図、図２は同シャッター付き光コネクタのカバーを外した状態を示す斜視図、図３は同シャッター付き光コネクタの縦断側面図、図４は同シャッター付き光コネクタの横断平面図、図５は同シャッター付き光コネクタに使用されているシャッター付勢バネの斜視図、図６は同シャッター付き光コネクタのシャッターが開く様子を段階的に示す縦断側面図である。
【００２２】
本実施形態に係るシャッター付き光コネクタは、自動車用のＬＡＮの一つで、カーナビゲーションシステムや車載オーディオ、各種チェンジャーなどの車載マルチメディア機器の高速光データリンクを支えるＭＯＳＴ規格に準拠した光コネクタに、内開き式のシャッターを取付けたものである。参考までに、シャッターを備えない従来の同形式の光コネクタを図７〜図９に示し、その従来コネクタに、特許文献１に示す従来構造の内開きシャッターを取付けた比較用の光コネクタを図１０に示す。
【００２３】
なお、ＭＯＳＴ（Media Oriented System Transport ）はＯＡＳＩＳの登録商標である。
【００２４】
図１〜図４に示すように、本実施形態に係るシャッター付き光コネクタは、四角形のボックス状に形成され、正面にプラグ挿入穴が開口するケース１０と、プラグ挿入穴の開口部を開閉するためにケース１０に取付けられたシャッター２０と、シャッター２０を閉位置に弾性保持するためにケース１０内に設けられたシャッター付勢バネ３０と、ケース１０の背面側に取付けられた光素子ユニット４０とを備えている。
【００２５】
ケース１０は、樹脂からなる角箱形のボディ１０Ａと、ボディ１０Ａを光素子ユニット４０と共に被うカバー１０Ｂとからなる。ボディ１０Ａは、正面側に開口する四角形のプラグ挿入穴１１を内部に有しており、正面以外にも、上面が正面側の端部及び背面側の端部を除く範囲で全幅にわたり開口している。
【００２６】
ボディ１０Ａのプラグ挿入口近傍には、一方の側壁部から内側へ突出する水平なリブ１２が複数段に設けられている。複数段のリブ１２は、当該光コネクタに挿入されるプラグ部の種類を識別するための水平なキー溝１３を、隣接するリブ間に形成するためのものであり、ボディ１０Ａのプラグ挿入口近傍に限定的に設けられることにより、シャッター２０を閉位置に固定するストッパーを兼ねている。
【００２７】
リブ１２とは反対側のプラグ挿入口近傍には、プラグ挿入穴１１に挿入されたプラグ部を固定する上下一対のロック部１４，１５が設けられている。上側のロック部１４は凹部、下側のロック部１５は凸部である。一方、ボディ１０Ａの底面には、下方へ突出する位置決め用のボス部１６が一体的に設けられている。ボス部１６は、当該光コネクタが基板に実装された状態で基板の貫通孔に挿入されることにより、当該光コネクタを定位置に固定する。
【００２８】
カバー１０Ｂは、逆Ｕ状に形成された金属薄板からなり、ボディ１０Ａの正面側の端部を除く部分に上から被せられることにより、ボディ１０Ａの上面開口部１７を塞ぐ。また、ボディ１０Ａの両側の側壁部を覆い、ボディ１０Ａの下方へ突出する固定部１８及び１８′を形成している。固定部１８は当該光コネクタを基板に固定するための固定爪である。固定部１８′は、当該光コネクタを基板に位置決め固定するためのピンである。
【００２９】
シャッター２０は、プラグ挿入穴１１の入口部を全面的に被う四角形の樹脂板である。この樹脂板は、入口部に設けられたリブ１２の裏側に配置されており、上縁部を中心に内側へ開く片開き式で且つ内開き式のシャッター２０を形成している。即ち、このシャッター２０は、上縁部から両側へ突出する１対のヒンジ軸２１，２１を有しており、該ヒンジ軸２１，２１をボディ１０Ａの両側の側壁部の上面に係合させることにより、上縁部を中心にプラグ挿入穴１１の内側へ開放可能に支持されている。
【００３０】
シャッター付勢バネ３０は、プラグ挿入穴１１内のシャッター裏面側に配置されている。この付勢バネ３０は、図５に示すように、両側のコイル部３１，３１と、コイル部３１，３１の内側から突出し水平部で連結されたＵ字状の内側アーム部３２と、コイル部３１，３１の外側から突出した１対の外側アーム部３３，３３とを有する捻じりコイルバネである。外側アーム部３３，３３は、内側アーム部３２とは異なる方向に突出し、外力を加えない状態で約３０°の開き角を保持する。外側アーム部３３，３３の各先端部は、外側へ直角に折れ曲がり、シャッター２０との連結部３４，３４を形成している。
【００３１】
このシャッター付勢バネ３０は、両側のコイル部３１，３１をプラグ挿入穴１１の穴奥側に向けて配置されており、より詳しくは連結部３４，３４をシャッター２０の裏面側に差し込み、この状態で内側アーム部３２をカバー１０Ｂの天板部で押圧し、コイル部３１，３１をボディ１０Ａの底板部に押し付けた状態に設置されている。これにより、シャッター付勢バネ３０は、開き角が縮小する方向に弾性変形し、その反力でシャッター２０を正面側のリブ１２に押し付けることにより、該シャッター２０を垂直な閉位置に弾性保持する。
【００３２】
そして、両側の外側アーム部３３，３３は、連結部３４，３４からコイル部３１，３１までの長さが、シャッター２０における連結部３４，３４の取付け位置からシャッター下縁までの長さより大きくなるように設計されている。また、内側アーム部３２は、その先端をカバー１０Ｂの天板部に当接させる必要上、連結部３４，３４よりも更に長く設計されている。
【００３３】
光素子ユニット４０は、ボディ１０Ａの背面側にカバー１０Ｂを利用して固定されている。このユニット４０は、両側１対の光素子４１，４１を内蔵しており、それぞれから延出した複数本のリード部４２を下方へ突出させている。光素子４１，４１は、ボディ１０Ａの背板部を貫通するスリーブ４３，４３を介して、プラグ挿入穴１に挿入されたプラグ部と光学的に接続されるようになっている。スリーブ４３，４３は、ボディ１０Ａの背板部に一体的に形成された円筒状の支持部１９，１９内に支持されており、支持部１９，１９の先端部は、開放するシャッター２０との干渉を回避するために斜めにカットされている。
【００３４】
次に、本実施形態に係るシャッター付き光コネクタの機能について詳細に説明する。
【００３５】
当該光コネクタを使用しないとき、即ち、ケース１０のプラグ挿入穴１１に光ファイバーケーブルのプラグ部を挿入しないときは、プラグ挿入穴１１の入口、即ちプラグ挿入口はシャッター２０に閉止されている。ここで、シャッター２０は、背面側のシャッター付勢バネ３０により正面側へ弾性的に押圧されている。このため、シャッター２０が不用意に開く事態は回避される。
【００３６】
ケース１０のプラグ挿入穴１１に光ファイバーケーブルのプラグ部を挿入する場合は、シャッター２０が閉じたまま、そのプラグ挿入穴１１に正面側からプラグ部を押し込む。そうすると、図６（ａ）（ｂ）に示すように、シャッター２０はシャッター付勢バネ３０による付勢力に抗して内側へ開く。このため、使用時にシャッター２０を開く操作は不要になる。
【００３７】
シャッター２０が開くとき、背面側のシャッター付勢バネ３０は、両側の外側アーム部３３，３３がシャッター２０と共に内側へ傾斜する。これと共に、シャッター付勢バネ３０は、開き角が小さくなる方向へ弾性変形する。内側アーム部３２は、カバー１０Ｂの天板部に摺接している。そして、最終的には、シャッター２０はカバー１０Ｂの天板部に平行な状態になるまで開く。
【００３８】
この完全開放状態で、シャッター２０は、ボディ１０Ａの上面開口部１７内に収納される。シャッター付勢バネ３０の内側アーム部３２及び外側アーム部３３，３３は、シャッター２０とカバー１０Ｂの天板部の間で、相互に干渉し合うことなくほぼ同一平面内に挟み込まれる。
【００３９】
一方、シャッター付勢バネ３０のコイル部３１，３１は、シャッター２０が開くとき、円筒状の支持部１９，１９の両側を通過するために、支持部１９，１９と干渉しない。そして、シャッター２０が完全に開いた状態では、両側のコイル部３１，３１は、シャッター２０とカバー１０Ｂの天板部の間の外側（背面側）に位置し、この間に挟み込まれることはない。なぜなら、両側の外側アーム部３３，３３は、連結部３４，３４からコイル部３１，３１までの長さが、シャッター２０における連結部３４，３４の取付け位置からシャッター下縁までの長さより大きくなるように設計されているからである。
【００４０】
このため、シャッター２０を収納するための最小必要スペース厚Ｔは、シャッター２０の必要厚にアーム部の線径を加算したものとなり、図１０に示す比較用のシャッター付き光コネクタと比べて大幅に縮小される。
【００４１】
ちなみに、図１０に示す比較用のシャッター付き光コネクタでは、プラグ付勢バネ３０のコイル部３１，３１の内側をシャッター２０のヒンジ軸が貫通し、シャッター２０が開いた状態では、ケース１０の天板部とシャッター２０の間にコイル部３１，３１が挟み込まれる。このため、シャッター２０を収納するための最小必要スペース厚Ｔは、シャッター２０の必要厚にコイル部３１，３１の外径を加算したものとなり、本実施形態に係るシャッター付き光コネクタと比べて相当大きくなる。
【００４２】
なお、図１０では、本実施形態に係るシャッター付き光コネクタと機能的に対応する部分、部材に同一番号を付してある。
【００４３】
プラグ挿入穴１１からプラグ部を引き抜くと、シャッター付勢バネ３０の復元力により、シャッター２０は再び垂直な閉位置に戻り、リブ１２に押し付けられる。こうして不使用時にプラグ挿入口が閉じられることにより、高い防塵性及び安全性が確保される。
【００４４】
ここで、リブ部１２はプラグ部の種類を識別するキー溝１３を形成する。このリブ部１２は、図７〜図９に示すシャッター無しの従来コネクタでは、プラグ挿入穴１１の全長にわたって設けられていた。本実施形態では、このリブ部１２をプラグ挿入口の近傍で残す、即ちその近傍以外で除去することにより、リブ部１２の本来機能（プラグ種識別機能）を残しつつ、シャッター２０の内開きを可能にし、且つ、そのシャッター２０のストッパーとしてリブ部１２を活用する。
【００４５】
なお、図７〜図９では、本実施形態に係るシャッター付き光コネクタと機能的に対応する部分、部材に同一番号を付してある。
【００４６】
プラグ挿入穴１１に挿入されたプラグ部を固定する上下一対のロック部１４，１５、特に下側のロック部１５は、ボディ１０Ａの底板部の上面に突設されている。ここで、ボディ１０Ａは、上面が大きく開口している。このため、ボディ１０Ａの底板部に孔をあけることなしにロック部１５を容易に形成することが、金型構造上から可能となる。
【００４７】
ちなみに、図７〜図９に示すシャッター無しの従来コネクタでは、ボディ１０Ａの上面は開口していない。このため、ボディ１０Ａの底板部にロック部１５を形成するためには、その底板部に孔を開けることが、金型構造上から必要となる。
【００４８】
また、ボディ１０Ａの上面開口部１７がシャッター２０の収納スペースを兼ねていることは前述したとおりである。
【００４９】
図１１は本発明の別の実施形態を示すシャッター付き光コネクタの斜視図でカバーを外した状態を示す。図１２は同シャッター付き光コネクタの縦断側面図でカバーを外した状態を示す。図１３は同シャッター付き光コネクタに使用されているシャッター付勢バネの斜視図である。
【００５０】
本実施形態に係るシャッター付き光コネクタは、図１〜６に示したシャッター付き光コネクタと比べて、使用するシャッター付勢バネが相違する。他の構造は、図１〜６に示したシャッター付き光コネクタと実質同一であるので、同一部分に同一番号を付して詳しい説明を省略する。
【００５１】
本実施形態に係るシャッター付き光コネクタでは、シャッター付勢バネ３０として、１枚の金属板から切り起こした板バネが使用されている。この板バネは、シャッター２０の裏面に溶着により固定される略四角形の固定部３５と、固定部３５の上端部両側から穴奥側へ傾斜しつつ下方へ延出した１対の第１アーム部３６，３６と、第１アーム部３６，３６の下端部両側から穴奥側へ傾斜しつつ上方へ延出した１対の第２アーム部３７，３７と、第２アーム部３７，３７の上端部両側から穴奥側へ傾斜しつつ下方へ延出した１対の第３アーム部３８，３８と、第３アーム部３８，３８の下端部両側から穴奥側へ傾斜しつつ上方へ延出した１対の第４アーム部３９，３９とを有している。
【００５２】
この板バネ形式のシャッター付勢バネ３０は、シャッター２０の裏面に、シャッター２０が閉じた状態で第４アーム部３９，３９の各上端部をカバー１０Ｂの天板部に押し付け、縮む方向に弾性変形するように取付けられている。これにより、当該光コネクタを使用しないとき、即ち、ケース１０のプラグ挿入穴１１に光ファイバーケーブルのプラグ部を挿入しないとき、シャッター２０は垂直な閉位置に弾性保持され、プラグ挿入穴１１の入口、即ちプラグ挿入口を閉止する。
【００５３】
ケース１０のプラグ挿入穴１１に光ファイバーケーブルのプラグ部を挿入する場合は、シャッター２０が閉じたまま、そのプラグ挿入穴１１に正面側からプラグ部を押し込む。そうすると、シャッター２０はシャッター付勢バネ３０による付勢力に抗して内側へ開く。シャッター２０が開くとき、背面側のシャッター付勢バネ３０は、固定部３５、１対の第１アーム部３６，３６、第２アーム部３７，３７、第３アーム部３８，３８及び第４アーム部３９，３９が縮む方向、即ち平板に近づく方向に弾性変形する。
【００５４】
そして、最終的には、シャッター２０はカバー１０Ｂの天板部に平行に状態になるまで開く。この完全開放状態で、シャッター２０は、ボディ１０Ａの上面開口部１７内に収納される。また、シャッター付勢バネ３０は、シャッター２０とカバー１０Ｂの天板部の間で、相互に干渉し合うことなくほぼ同一平面内に挟み込まれ、殆ど１枚板の状態になる。なお、第４アーム部３９，３９の各上端部は、カバー１０Ｂの天板部に摺接している。
【００５５】
このため、シャッター２０を収納するための最小必要スペース厚Ｔは、シャッター２０の必要厚にシャッター付勢バネ３０の板厚を加算したものとなり、図１０に示す比較用のシャッター付き光コネクタと比べて大幅に縮小される。
【図面の簡単な説明】
【００５６】
【図１】本発明の一実施形態を示すシャッター付き光コネクタの斜視図である。
【図２】同光コネクタのカバーを外した状態を示す斜視図である。
【図３】同光コネクタの縦断側面図である。
【図４】同光コネクタの横断平面図である。
【図５】同光コネクタに使用されているシャッター付勢バネの斜視図である。
【図６】（ａ）及び（ｂ）は同光コネクタのシャッターが開く様子を段階的に示す縦断側面図である。
【図７】シャッターを備えない従来の同形式の光コネクタの斜視図である。
【図８】同光コネクタの別の斜視図である。
【図９】同光コネクタの縦断側面図である。
【図１０】同光コネクタに従来構造の内開きシャッターを取付けた比較用光コネクタの縦断側面図である。
【図１１】本発明の別の実施形態を示すシャッター付き光コネクタの斜視図でカバーを外した状態を示す。
【図１２】同シャッター付き光コネクタの縦断側面図でカバーを外した状態を示す。
【図１３】同シャッター付き光コネクタに使用されているシャッター付勢バネの斜視図である。
【符号の説明】
【００５７】
１０  ケース
１０Ａ  ボディ
１０Ｂ  カバー
１１  プラグ挿入穴
１２  リブ
１３  キー溝
１４，１５  プラグロック部
１６  ボス部
１７  上面開口部
１８  固定部
１９  支持部
２０  シャッター
２１  ヒンジ軸
３０  シャッター付勢バネ
３１  コイル部
３２  内側アーム部
３３  外側アーム部
３４  連結部
３５  固定部
３６  第１アーム部
３７  第２アーム部
３８  第３アーム部
３９  第４アーム部
４０  光素子ユニット
４１  光素子
４２  リード部
４３  スリーブ
【図１】
2005258223.tif 000003
【図２】
2005258223.tif 000004
【図３】
2005258223.tif 000005
【図４】
2005258223.tif 000006
【図５】
2005258223.tif 000007
【図６】
2005258223.tif 000008
【図７】
2005258223.tif 000009
【図８】
2005258223.tif 000010
【図９】
2005258223.tif 000011
【図１０】
2005258223.tif 000012
【図１１】
2005258223.tif 000013
【図１２】
2005258223.tif 000014
【図１３】
2005258223.tif 000015